(57)【要約】【課題】収納庫のスペースを広めに確保でき、一時保留部に障害が発生しても運用を続行することが可能な紙葉類処理装置を提供することである。【解決手段】提案する紙葉類処理装置は、紙葉類の真贋を鑑別する鑑別部と、紙葉類が１つの開口を通して収納または繰り出され、上面に前記１つの開口がそれぞれ設けられた着脱自在な複数の収納庫と、前記鑑別部により真であると鑑別された紙葉類が収納または繰り出される一時保留部と、前記各部間で紙葉類を搬送する搬送部と、を有し、前記複数の収納庫のうちの空である収納庫の１つを、前記一時保留部の障害時の代替用としたものである。【選択図】図１
2010231483.tif 000002
【特許請求の範囲】
【請求項１】
紙葉類の真贋を鑑別する鑑別部と、
紙葉類が１つの開口を通して収納または繰り出され、上面に前記１つの開口がそれぞれ設けられた着脱自在な複数の収納庫と、
入金時に、前記鑑別部により真であると鑑別された紙葉類が収納または繰り出される一時保留部と、
前記各部間で紙葉類を搬送する搬送部と、を有し、
前記一時保留部が使用できない場合に、前記複数の収納庫のうちの空である収納庫の少なくとも１つを、前記一時保留部の代替として使用することを特徴とする紙葉類処理装置。
【請求項２】
前記代替として使用する一時保留部として予め設定された位置に収納庫が装着された場合に、該収納庫内のすべての紙葉類を繰り出して空にすることを特徴とする請求項１記載の紙葉類処理装置。
【請求項３】
前記一時保留部が使用できない場合に、前記複数の収納庫のうち少なくとも一つ以上、空き収納庫があるかどうかを判定する空き収納庫判定部、をさらに有し、
前記空き収納庫判定部により空き収納庫がないと判定された場合に、前記複数の収納庫のうちの１つの収納庫に対し、該収納庫内のすべての紙葉類を繰り出して空にして、前記一時保留部の代替として使用し、
前記空き収納庫判定部により空き収納庫があると判定された場合に、該空き収納庫を前記一時保留部の代替として使用することを特徴とする請求項１記載の紙葉類処理装置。
【発明の詳細な説明】
【技術分野】
【０００１】
本発明は、入金金額確認待ち時に入金された紙葉類を一時的に収納する一時保留部を有する紙葉類処理装置に関する。
【背景技術】
【０００２】
従来の紙葉類処理装置は、顧客による操作に基づいて、入金取引、出金取引等の各種取引を行なうものである。ここでは、特許文献１および２に示される装置と同様の構造を有する紙葉類処理装置につき、各部の説明およびその入出金時の動作を図１８〜図２６を参照して説明する。
【０００３】
図１８は、従来の紙葉類処理装置の側面図である。
図１８において、投出部１０１には入金時に紙葉類（以下、“紙幣”と呼ぶこともある）が投入されて、繰り出し部（不図示）により装置内部の搬送路上にその紙幣が下側開口１２１を通して繰り出される。また、投出部１０１には出金時に装置内部の搬送路から繰り出し部により上側開口１２２を通して紙幣が繰り出される。
【０００４】
鑑別部１０３において、入金時や出金時に紙幣が正常券であるか不明券であるかが鑑別される。
入金時に鑑別部１０３において正常券であると鑑別された紙幣は、顧客による確認指示を待つために、一時保留部（エスクロー）１０４に上側開口１２４を通して一時的に収納される。
【０００５】
入金時に鑑別部１０３において正常券であると鑑別された紙幣は、顧客による確認指示がＯＫとなったときに、一時保留部１０４の下側開口１２３を通して鑑別部１０３まで再度搬送され、鑑別部１０３においてリサイクルに適するかどうかが鑑別される。このとき鑑別部１０３においてリサイクルに不適と鑑別された紙幣、および、出金時に鑑別部１０３で不明券であると鑑別された紙幣は、リジェクト部１０６−１あるいは１０６−２に収納される。
【０００６】
入金時に鑑別部１０３において正常券であると鑑別された紙幣は、顧客による確認指示がＯＫとなったときに、一時保留部１０４の上側開口１２４を通して鑑別部１０３まで再度搬送され、鑑別部１０３においてリサイクルに適するかどうかが鑑別される。このときリサイクルに適すると鑑別された紙幣は、いずれかの収納庫に収納される。
【０００７】
図１８の紙葉類処理装置は５台の紙葉類収納庫を有し、前面側（図１８では右側）の３台の紙葉類収納庫１１１−１、１１１−２、１１１−３と、後面側（図１８では左側）の２台の紙葉類収納庫１１２−１、１１２−２とでは、後面側の２台の方が、高さ、奥行き、幅が大きい。そして、後面側の２台の紙葉類収納庫１１２−１、１１２−２は内部にリジェクト部（不図示）を含んでいて、後面に設けられた開閉扉を開けることで、後方に引き出され、装置本体に対し着脱可能である。
【０００８】
収納時に紙葉類収納庫１１１−１、１１１−２、１１１−３内に繰り出された紙幣は、収納庫の上下方向に移動可能なステージ（不図示）上に落下する。このステージは例えば内部に収納している紙幣枚数が少ないときほど、上方の位置に固定される。
【０００９】
また、収納時に紙葉類収納庫１１２−１、１１２−２内に繰り出された紙幣は、収納庫底部に落下する。すなわち、紙葉類収納庫１１２−１、１１２−２では、紙幣が底部から堆積している。
【００１０】
紙葉類収納庫１１１−１、１１１−２、１１１−３には、紙幣を収納する場合と、紙幣を搬送路上に送出する場合で、双方向に紙幣を繰り出すことが可能な繰り出し部（不図示）を有し、それぞれ１つの出入口（上部開口１２５−１、１２５−２、１２５−３）を持つ。
【００１１】
紙葉類収納庫１１２−１、１１２−２には、紙幣を収納する場合の上部開口１２６−１、１２６−２と、紙幣を搬送路上に送出する場合の下部開口１２８−１、１２８−２を有する。なお、紙葉類収納庫１１２−１、１１２−２の有するもう１つの上部開口１２７−１、１２７−２はそれぞれ内部のリジェクト部に通じている。
【００１２】
続いて、従来の紙葉類処理装置の入金時および出金時の動作につき説明する。
始めに、入金時の動作を説明する。
顧客により行われた入金指示に対応して、シャッタ（不図示）が開き、投出部１０１に対する紙幣挿入待ち状態となる。
【００１３】
顧客が紙幣を投出部１０１に投入すると、紙幣が投入されたことが確認（検出）され、シャッタが閉じる。そして、投入された紙幣を下側開口１２１の近くに設けられた繰り出し部の位置まで押圧部材等（不図示）により移動させ、繰り出し部により装置内部の搬送路上に紙幣が繰り出される。この際、紙幣は、図１９に示すような搬送路１４０を通って、投出部１０１から鑑別部１０３まで搬送される。
【００１４】
鑑別部１０３において、紙幣が正常券であるかどうかが鑑別される。
鑑別部１０３により不明券と鑑別された紙幣は、図２０に示すような搬送路１４１を通って、鑑別部１０３から投出部１０１まで搬送される。そして、上部開口１２２を通して投出部１０１に放出されて、顧客に返却される。
【００１５】
鑑別部１０３により正常券と鑑別された紙幣は、図２１に示すような搬送路１４２を通って、鑑別部１０３から一時保留部（エスクロー）１０４まで搬送される。そして、顧客による確認指示を待つために、一時保留部１０４に一時的に収納される。このとき、顧客に対し入金金額の確認を促す画面（不図示）が表示される。
【００１６】
この状態で、顧客による確認指示がキャンセルとなると、紙幣が一時保留部１０４から投出部１０１まで搬送されて、その投出部１０１を通して顧客に返却される。
一方、この状態で、顧客による確認指示がＯＫとなると、一時保留部１０４の下部開口１２３の位置に入金金額に対応する１枚あるいは複数枚の紙幣が移動され、その下部開口１２３の近くに設けられた繰り出し部（不図示）により、一時保留部１０４から入金金額に対応する紙幣が１枚ずつ搬送路上に繰り出され、図２２に示すような搬送路１４３を通って、一時保留部１０４から再度鑑別部１０３まで搬送される。そして、鑑別部１０３において各紙幣がリサイクルに適するかどうかが鑑別される。
【００１７】
鑑別部１０３による鑑別においてリサイクルに適すると鑑別された紙幣は、図２３に示すような、鑑別部１０３の出口側を出て上行し、Ｕターンして下行し、その後全体として装置前面に向かう搬送路１４４を通って、収納庫１１１−１、１１１−２、１１１−３、１１２−１、１１２−２のうちのいずれかの収納庫に収納される。
【００１８】
一方、鑑別部１０３による鑑別においてリサイクルに不適と鑑別された紙幣は、図２４に示すような搬送路１４５を通って、鑑別部１０３からいずれかのリジェクト部まで搬送され、該当するリジェクト部（リジェクト部１０６−１あるいは１０６−２）に収納される。
【００１９】
続いて、出金時の動作を説明する。
顧客により行われた出金指示に対応して、いずれかの収納庫から紙幣が繰り出され、鑑別部１０３まで搬送される。収納庫１１１−１、１１１−２、１１１−３のいずれかから紙幣が繰り出される場合は、図２５に示すような搬送路１４６−１を通って、各収納庫から鑑別部１０３まで紙幣は搬送される。収納庫１１２−１、１１２−２のいずれかから紙幣が繰り出される場合は、その収納庫１１２−１、１１２−２の下部開口１２８−１、１２８−２から繰り出された紙幣は、図２６に示すような、装置底部において装置前面にまず向かい、その後上行して前方にある収納庫１１１−１等の上側に達してから装置後面に向かう搬送路１４６−２を通って、各収納庫から鑑別部１０３まで搬送される。
【００２０】
鑑別部１０３において、その紙幣が正常券であるかどうかが鑑別される。
鑑別部１０３により不明券と鑑別された紙幣は、図２４に示すような搬送路１４５を通って、鑑別部１０３からいずれかのリジェクト部まで搬送され、該当するリジェクト部（リジェクト部１０６−１あるいは１０６−２）に収納される。
【００２１】
鑑別部１０３により正常券と鑑別された紙幣は、図２０に示すような搬送路１４１を通って、鑑別部１０３から投出部１０１まで搬送され、投出部１０１に放出され、顧客による紙幣抜き取り待ち状態となる。
【００２２】
従来の紙葉類処理装置の動作については以上説明した通りだが、図１８以降の各図から明らかなように、収納庫１１２−１、１１２−２は、上部開口１２６−１、１２６−２から紙幣を収納し、下部開口１２８−１、１２８−２から紙幣を繰り出す構造を有している。そして、このことに起因し、出金時に、下部開口１２８−１、１２８−２から鑑別部１０３に向かう搬送路１４６−２は、図２６に示したように、装置底部において装置前面にまず向かい、その後上行して前方にある収納庫１１１−１等の上側に達してから装置後面に向かって鑑別部１０３に達する。
【００２３】
このため、装置内部の搬送路の全長が長くなり、そのことに伴い、ジャムなどの障害の発生率の増加、搬送機構を構成する部品点数の増大に伴うコストアップ、収納庫に割り当てることができるスペースの減少などの問題が発生している。
【００２４】
一方、紙葉類処理装置の運用中に、装置内のある場所に障害が発生することがある。その度に装置を停止していると、顧客サービス上問題がある。一例として、入金処理時に、正常券と鑑別された紙幣は、顧客による入金確認の指示を待つ間、一時保留部（エスクロー）１０４に一時的に収納される。
【００２５】
この一時保留部１０４に障害が発生し、使用できない状態となった場合、入金処理ができなくなるので、装置を停止することになる。
なお、この他に関連技術として、特許文献３では、１台の紙幣収納箱を有する紙幣取扱装置が示されている。この紙幣収納箱は、内部が２つの収納部に分かれている。例えば運用中は、この紙幣収納箱とは別に設けられた紙幣プール部に千券を収納し、この紙幣収納箱の第１収納部にリジェクト紙幣、第２収納部に万券を収納する。そして、運用終了後に千券を紙幣プール部から紙幣収納箱内の第２収納部の万券の上に搬送して収納する。これにより、紙幣の収納スペースを有効活用している。
【先行技術文献】
【特許文献】
【００２６】
【特許文献１】特許第３２６０１４１号公報
【特許文献２】特許第３７５４６２０号公報
【特許文献３】特開昭和６３−１４９７８４号公報
【発明の概要】
【発明が解決しようとする課題】
【００２７】
本発明は、以上の問題点を考慮してなされたものであり、収納庫のスペースを広く確保でき、一時保留部に障害が発生しても運用を続行することが可能な紙葉類処理装置を提供することを目的とする。
【課題を解決するための手段】
【００２８】
提案する紙葉類処理装置は、紙葉類の真贋を鑑別する鑑別部と、紙葉類が１つの開口を通して収納または繰り出され、上面に前記１つの開口がそれぞれ設けられた着脱自在な複数の収納庫と、入金時に、前記鑑別部により真であると鑑別された紙葉類が収納または繰り出される一時保留部と、前記各部間で紙葉類を搬送する搬送部と、を有し、前記一時保留部が使用できない場合に、前記複数の収納庫のうちの空である収納庫の少なくとも１つを、前記一時保留部の代替として使用することとしたものである。
【発明の効果】
【００２９】
提案する紙葉類処理装置では、複数の収納庫を同じあるいは略同じ高さ、幅、奥行きで奥行き方向に配列し、それぞれの上面に１つの開口を設けたので、従来の紙葉類処理装置と比較して、各収納庫の底部を装置前面に向かい、その後上行する搬送路が必要なくなった。よって、収納庫のスペースを広く確保することができ、収納庫に冗長性を持たせ、例えば複数の収納庫のうちの１つを空とすることで、前記一時保留部が使用できない場合に、空き収納庫を前記一時保留部の代替として使用して運用を続行することができる。
【図面の簡単な説明】
【００３０】
【図１】本発明の一実施形態に係る紙葉類処理装置の側面図である。
【図２】入金一次動作のフローチャートである。
【図３】入金二次動作のフローチャートである。
【図４】出金動作のフローチャートである。
【図５】本実施形態の紙葉類処理装置における投出部から鑑別部までの紙幣の搬送路を示した図である。
【図６】本実施形態の紙葉類処理装置における鑑別部から不明券保留部までの紙幣の搬送路を示した図である。
【図７Ａ】本実施形態の紙葉類処理装置における鑑別部から一時保留部までの紙幣の搬送路を示した図である。
【図７Ｂ】本実施形態の紙葉類処理装置における鑑別部から一時保留部代替用としての収納庫までの紙幣の搬送路を示した図である。
【図８Ａ】本実施形態の紙葉類処理装置における一時保留部から鑑別部までの紙幣の搬送路を示した図である。
【図８Ｂ】本実施形態の紙葉類処理装置における一時保留部代替用としての収納庫から鑑別部までの紙幣の搬送路を示した図である。
【図９】本実施形態の紙葉類処理装置における鑑別部から収納庫までの紙幣の搬送路（その１）を示した図である。
【図１０】本実施形態の紙葉類処理装置における鑑別部から収納庫までの紙幣の搬送路（その２）を示した図である。
【図１１】本実施形態の紙葉類処理装置における鑑別部からリジェクト部までの紙幣の搬送路を示した図である。
【図１２】本実施形態の紙葉類処理装置における収納庫から鑑別部までの紙幣の搬送路（その１）を示した図である。
【図１３】本実施形態の紙葉類処理装置における収納庫から鑑別部までの紙幣の搬送路（その２）を示した図である。
【図１４】本実施形態の紙葉類処理装置における鑑別部から投出部までの紙幣の搬送路を示した図である。
【図１５】本実施形態の紙葉類処理装置における一時保留部代替用としての収納庫から他の収納庫までの紙幣の搬送路（その１）を示した図である。
【図１６】本実施形態の紙葉類処理装置における一時保留部代替用としての収納庫から他の収納庫までの紙幣の搬送路（その２）を示した図である。
【図１７】運用中に一時保留部代替用としての収納庫を空にする場合における障害発生時の装置停止回避処理のフローチャートである。
【図１８】従来の紙葉類処理装置の側面図である。
【図１９】従来の紙葉類処理装置における投出部から鑑別部までの紙幣の搬送路を示した図である。
【図２０】従来の紙葉類処理装置における鑑別部から投出部までの紙幣の搬送路を示した図である。
【図２１】従来の紙葉類処理装置における鑑別部から一時保留部までの紙幣の搬送路を示した図である。
【図２２】従来の紙葉類処理装置における一時保留部から鑑別部までの紙幣の搬送路を示した図である。
【図２３】従来の紙葉類処理装置における鑑別部から収納庫までの紙幣の搬送路を示した図である。
【図２４】従来の紙葉類処理装置における鑑別部からリジェクト部までの紙幣の搬送路を示した図である。
【図２５】従来の紙葉類処理装置における収納庫から鑑別部までの紙幣の搬送路（その１）を示した図である。
【図２６】従来の紙葉類処理装置における収納庫から鑑別部までの紙幣の搬送路（その２）を示した図である。
【発明を実施するための形態】
【００３１】
以下図面に基づいて、本発明の実施形態について詳細を説明する。
図１は、本発明の一実施形態に係る紙葉類処理装置の側面図である。
図１において、投出部１には入金時に紙幣が投入されて、繰り出し部２により装置内部の搬送路上にその紙幣が繰り出される。また、投出部１には出金時に装置内部の搬送路から繰り出し部２により紙幣が繰り出される。すなわち、投出部１は装置内部との間に１つの出入口しか持たず、繰り出し部２は紙幣を双方向に繰り出すことが可能な機構である。
【００３２】
鑑別部３において、入金時や出金時に紙幣が正常券であるか不明券であるかが鑑別される。
入金時に鑑別部３において正常券であると鑑別された紙幣は、顧客による確認指示を待つために、一時保留部（エスクロー）４に一時的に収納される。一時保留部４にも紙幣を双方向に繰り出すことが可能な繰り出し部５が設けられている。
【００３３】
入金時に鑑別部３において正常券であると鑑別された紙幣は、顧客による確認指示がＯＫとなったときに、再度鑑別部３に搬送され、鑑別部３においてリサイクルに適するかどうかが鑑別される。この鑑別部３での鑑別においてリサイクルに不適と鑑別された紙幣、および、出金時に鑑別部３で不明券であると鑑別された紙幣は、リジェクト部６−１あるいは６−２に収納される。リジェクト部６−１、６−２は、紙幣の繰り込み機構７−１、７−２、ゲート２４−１、２４−２をそれぞれ有する。
【００３４】
また、この鑑別部３での鑑別においてリサイクルに適すると鑑別された紙幣は、いずれかの収納庫に収納される。
入金時に鑑別部３において不明券であると鑑別された紙幣は、不明券保留部８に収納されて、その不明券保留部８を経由して投出部１に返却される。
【００３５】
図１の紙葉類処理装置は６台の紙葉類収納庫を有し、前面側の４台の紙葉類収納庫１１−１、１１−２、１１−３、１１−４と、後面側の２台の紙葉類収納庫１２−１、１２−２とは、高さ、奥行き、幅が同じあるいは略同じであるが、後面側の２台の紙葉類収納庫１２−１、１２−２のみが本実施形態では、内部にリジェクト部１６−１、１６−２を含んでいる。なお、６台の紙葉類収納庫は不図示の案内レール上に載置されており、後面に設けられた開閉扉を開けることで、後方に一体となって引き出される。この６台の紙葉類収納庫はいずれも装置本体に対し着脱可能である。
【００３６】
紙葉類収納庫１１−１には、紙幣を収納するときと、紙幣を搬送路上に送出するときとで、双方向に紙幣を繰り出すことが可能な繰り出し部１３−１を有する。また、紙葉類収納庫１１−１は、紙幣収納時や紙幣送出時に、中心の周りを回転することで、収納や送出を行うための必要な位置に移動するゲート２１−１、２５−１を有する。
【００３７】
紙葉類収納庫１１−２には、紙幣を収納するときと、紙幣を搬送路上に送出するときとで、双方向に紙幣を繰り出すことが可能な繰り出し部１３−２を有する。また、紙葉類収納庫１１−２は、紙幣収納時や紙幣送出時に、中心の周りを回転することで、収納や送出を行うための必要な位置に移動するゲート２１−２、２５−２を有する。
【００３８】
紙葉類収納庫１１−３には、紙幣を収納するときと、紙幣を搬送路上に送出するときとで、双方向に紙幣を繰り出すことが可能な繰り出し部１３−３を有する。また、紙葉類収納庫１１−３は、紙幣収納時や紙幣送出時に、中心の周りを回転することで、収納や送出を行うための必要な位置に移動するゲート２１−３、２５−３を有する。
【００３９】
紙葉類収納庫１１−４には、紙幣を収納するときと、紙幣を搬送路上に送出するときとで、双方向に紙幣を繰り出すことが可能な繰り出し部１３−４を有する。また、紙葉類収納庫１１−４は、紙幣収納時や紙幣送出時に、中心の周りを回転することで、収納や送出を行うための必要な位置に移動するゲート２１−４、２５−４を有する。
【００４０】
紙葉類収納庫１２−１には、紙幣を収納するときと、紙幣を搬送路上に送出するときとで、双方向に紙幣を繰り出すことが可能な繰り出し部１５−１を有するとともに、紙幣収納時や紙幣送出時に、中心の周りを回転することで、収納や送出を行うための必要な位置に移動するゲート２２−１、２７−１を有する。また、紙葉類収納庫１２−１は、内部にリジェクト部１６−１と、リジェクト部１６−１への紙幣収納時に繰り出しを行う繰り出し部１８−１と、ゲート２３−１とを有する。
【００４１】
紙葉類収納庫１２−２には、紙幣を収納するときと、紙幣を搬送路上に送出するときとで、双方向に紙幣を繰り出すことが可能な繰り出し部１５−２を有するとともに、紙幣収納時や紙幣送出時に、中心の周りを回転することで、収納や送出を行うための必要な位置に移動するゲート２２−２、２７−２を有する。また、紙葉類収納庫１２−２は、内部にリジェクト部１６−２と、リジェクト部１６−２への紙幣収納時に繰り出しを行う繰り出し部１８−２と、ゲート２３−２とを有する。
【００４２】
収納時に紙葉類収納庫１１−１〜１１−４，１２−１〜１２−２内に繰り出された紙幣は、それぞれの収納庫の上下方向に移動可能なステージ１７−１〜１７−４，１９−１〜１９−２上に落下する。このステージは例えば内部に収納している紙幣枚数が少ないときほど、上方の位置に固定される。
【００４３】
上記した以外のゲートとして、ゲート３３は、投出部１側からの紙幣を鑑別部３に導くか、あるいは、リジェクト部６−１、６−２に導くか（あるいは、リジェクト部６−１、６−２を通過して収納庫１２−１、１２−２に導くか）を中心の周りを回転して位置を変えることにより決定する。
【００４４】
ゲート３２は、投出部１側や一時保留部４側からの紙幣を鑑別部３側にスルーさせるように導くか、あるいは、収納庫側からの紙幣を投出部１に導くかを中心の周りを回転して位置を変えることにより決定する。
【００４５】
ゲート３１は、鑑別部３の出口側からの紙幣を不明券保留部８に導くか、あるいは、搬送路上を収納庫の方に向かうべくスルーさせるかを中心の周りを回転して位置を変えることにより決定する。
【００４６】
ゲート２８は、鑑別部３の出口側からの紙幣を一時保留部４側に導くか、あるいは、搬送路上を収納庫の方に向かうべくスルーさせるかを中心の周りを回転して位置を変えることにより決定する。
【００４７】
ゲート２６は、ゲート２８によって一時保留部４側に導かれた紙幣を、一時保留部４に導くか、あるいは、一時保留部４をスルーさせるかを中心の周りを回転して位置を変えることにより決定する。
【００４８】
なお、本実施形態では、一時保留部４に運用中に障害が発生し使用できなくなる場合を想定している。上述したように、本実施形態の紙葉類処理装置では、複数の収納庫を同じあるいは略同じ高さ、幅、奥行きで奥行き方向に配列し、それぞれの上面に１つの開口を設けたので、従来の紙葉類処理装置と比較して、各収納庫の底部を装置前面に向かい、その後上行する搬送路が必要なくなった。よって、収納庫のスペースを広めに確保することができ、収納庫に冗長性を持たせ、例えば複数の収納庫のうちの１つを、一時保留部に障害が発生したときに、その一時保留部の代わりの搬送先として割り当てることができる。これにより、一時保留部４に障害が発生した場合でも、装置停止を回避することができる。
【００４９】
後述する図２のフローチャートでは、入金時にファームウェアによって、一時保留部４が使用可能であるかどうかが判定される。
使用可能と判定された場合は、鑑別部３により正常券と判定された紙幣は、一時保留部４まで搬送される。
【００５０】
一方、使用不能と判定された場合は、鑑別部３により正常券と判定された紙幣は、紙葉類処理装置内の予め定められた位置（ここでは、収納庫１１−１が装着される位置をその位置とするが、他の収納庫が装着される位置をその位置としてもよい）にある収納庫まで搬送される。
【００５１】
図２は、入金一次動作のフローチャートである。
図２のステップＳ１で、顧客により行われた入金指示に対応して、シャッタ（不図示）がオープンし、投出部１に対する紙幣挿入待ち状態となる。
【００５２】
顧客が紙幣を投出部１に投入すると、続く、ステップＳ２で、紙幣が投入されたことが確認（検出）され、シャッタが閉じる。そして、投入された紙幣の長さが正常かどうかが判定される。
【００５３】
ステップＳ２で紙幣の長さが異常であると判定された場合、ステップＳ３で、その長さが異常と判定された紙幣が顧客に投出部１を通して返却され、一連の動作が終了する。
ステップＳ２で紙幣の長さが正常であると判定された場合、ステップＳ５で、その紙幣を繰り出し部２の位置まで取り込み、ステップＳ６で、繰り出し部２により装置内部の搬送路上にその紙幣が繰り出される。この際、その紙幣は、図５に示すような搬送路４０を通って、投出部１から鑑別部３まで搬送される。
【００５４】
続くステップＳ７で、鑑別部３において、その紙幣が正常券であるかどうかが鑑別される。また、ファームウェアにより、その時点で、一時保留部４が使用可能であるかどうかが判定される。
【００５５】
ステップＳ７で鑑別部３により不明券と鑑別された紙幣は、図６に示すような搬送路４１を通って、鑑別部３から不明券保留部８まで搬送される。そして、不明券保留部８に収納されて、ステップＳ８でその不明券保留部８を経由して投出部１にその紙幣が繰り出され、顧客に返却される。
【００５６】
続く、ステップＳ９では、装置は再度紙幣の挿入待ち状態となる。すなわち、フロー上ステップＳ２に戻ることになる。なお、ステップＳ９の挿入待ち状態から顧客がキャンセル指示を行った場合は、一連の動作が終了する。
【００５７】
ステップＳ７で鑑別部３により正常券と鑑別された紙幣は、ファームウェアにより一時保留部４が使用可能であると判定された場合は、図７Ａに示すような搬送路４２−１を通って、鑑別部３から一時保留部（エスクロー）４まで搬送される。
【００５８】
一方、ステップＳ７で鑑別部３により正常券と鑑別された紙幣は、ファームウェアにより一時保留部４が使用不能であると判定された場合は、図７Ｂに示すような搬送路４２−２を通って、鑑別部３から一時保留部代替用としての収納庫１１−１まで搬送される。
【００５９】
いずれの場合でも、顧客による確認指示を待つために、その搬送先（一時保留部４あるいは収納庫１１−１）に一時的に収納される。このとき、ステップＳ１１で、顧客に対し入金金額の確認を促す画面（不図示）が表示される。
【００６０】
この状態で、ステップＳ１２で顧客による確認指示がＯＫとなると、図３に示す入金二次動作に制御が移ることになる。
一方、この状態で、ステップＳ１３で顧客による確認指示がキャンセルとなると、紙幣が一時保留部４から投出部１まで搬送されて、その投出部１を通して顧客に返却される。そして、一連の動作が終了する。
【００６１】
図３は、入金二次動作のフローチャートである。このフローチャートの動作は、入金時に鑑別部３において正常券であると鑑別された紙幣であり、一時保留部４あるいは一時保留部代替用としての収納庫１１−１において顧客による確認指示がＯＫとなった入金金額に対応する１枚あるいは複数枚の紙幣に対して行われる。
【００６２】
一時保留部４あるいは収納庫１１−１において顧客による確認指示がＯＫとなったときに、図３のステップＳ２１で、一時保留部４あるいは収納庫１１−１の繰り出し部の位置に入金金額に対応する１枚あるいは複数枚の紙幣が移動され、ステップＳ２２で、繰り出し部により、一時保留部４あるいは収納庫１１−１から入金金額に対応する紙幣が１枚ずつ搬送路上に繰り出され、図８Ａあるいは図８Ｂに示すような搬送路４３−１あるいは４３−２を通って、一時保留部４あるいは収納庫１１−１から再度鑑別部３まで搬送される。そして、鑑別部３において各紙幣がリサイクルに適するかどうかが鑑別される。
【００６３】
鑑別部３による鑑別においてステップＳ２３でリサイクルに適すると鑑別された紙幣は、いずれかの収納庫に収納される。収納庫１１−１、１１−２、１１−３、１１−４のいずれかが収納先である場合は、図９に示すような搬送路４４−１を通って、鑑別部３から各収納庫まで搬送され収納される。収納庫１２−１、１２−２のいずれかが収納先である場合は、図１０に示すような搬送路４４−２を通って、鑑別部３から各収納庫まで搬送され収納される。
【００６４】
一方、鑑別部３による鑑別においてステップＳ２４でリサイクルに不適と鑑別された紙幣は、図１１に示すような搬送路４５を通って、鑑別部３からいずれかのリジェクト部まで搬送され、該当するリジェクト部（リジェクト部６−１あるいは６−２）に収納される。そして、一連の動作を終了する。
【００６５】
図４は、出金動作のフローチャートである。
図４のステップＳ３１で、顧客により行われた出金指示に対応して、いずれかの収納庫から紙幣が繰り出され、鑑別部３まで搬送される。収納庫１１−１、１１−２、１１−３、１１−４のいずれかから紙幣が繰り出される場合は、図１２に示すような搬送路４６−１を通って、各収納庫から鑑別部３まで紙幣は搬送される。収納庫１２−１、１２−２のいずれかから紙幣が繰り出される場合は、図１３に示すような搬送路４６−２を通って、各収納庫から鑑別部３まで紙幣は搬送される。
【００６６】
続く、ステップＳ３２において、鑑別部３において、その紙幣が正常券であるかどうかが鑑別される。
ステップＳ３２で鑑別部３により不明券と鑑別された紙幣は、図１１に示すような搬送路４５を通って、鑑別部３からいずれかのリジェクト部まで搬送され、該当するリジェクト部（リジェクト部６−１あるいは６−２）に収納される。
【００６７】
ステップＳ３２で鑑別部３により正常券と鑑別された紙幣は、図１４に示すような搬送路４７を通って、鑑別部３から投出部１まで搬送され、ステップＳ３３で投出部１に収納される。
【００６８】
そして、続く、ステップＳ３４で、シャッタ（不図示）がオープンし、投出部１に対する紙幣抜き取り待ち状態となる。
この状態で一定時間内に紙幣が抜き取られた場合は直ちに一連の動作を終了する。
【００６９】
この状態で一定時間経過後も紙幣が抜き取られなかった場合はステップＳ３５で媒体（ここでは紙幣）の取り忘れ取り込みが行なわれ、一連の動作を終了する。
なお、以上の説明では、紙葉類処理装置内の予め定められた位置に装着された収納庫（ここでは、収納庫１１−１）を一時保留部４に障害が発生したときの代替用として割り当てていた。代替用として割り当てるためには、収納庫１１−１が空でなければならない。このため、収納庫１１−１を装置に装着したときに、収納庫１１−１内の紙幣を他の収納庫にすべて移す必要がある。
【００７０】
例えば、図１５に示すような搬送路５１を通して、収納庫１１−１から収納庫１１−３まで紙幣を搬送したり、あるいは、図１６に示すような搬送路５２を通して、収納庫１１−１から収納庫１２−２まで紙幣を搬送したりする。
なお、空の収納庫を予め設ける代わりに、運用中にいずれかの収納庫を一時保留部代替用として使用するために空にする方法がある。
【００７１】
図１７は、運用中に一時保留部代替用としての収納庫を空にする場合における障害発生時の装置停止回避処理のフローチャートである。図１７に示すように、この処理は、図２のステップＳ７とＳ１１の間に入る処理である。
【００７２】
図２のステップＳ２に続く、図１７のステップＳ１０１で、一時保留部４が正常（使用可能）かどうかが判定される。
ステップＳ１０１で一時保留部４が正常と判定された場合、ステップＳ１０２で、紙幣の搬送先を一時保留部４とし、制御を図２のステップＳ１１に渡す。
【００７３】
ステップＳ１０１で一時保留部４が故障と判定された場合、ステップＳ１０３で、装置内の収納庫１１−１、１１−２、１１−３、１１−４、１２−１、１２−２のうちで、空き収納庫（空きスタッカ）があるかどうかが判定される。
【００７４】
ステップＳ１０３で空きスタッカがあると判定された場合、ステップＳ１０４で、その空きスタッカを一時保留部４の代わりの搬送先とし、制御を図２のステップＳ１１に渡す。
【００７５】
ステップＳ１０３で空きスタッカがないと判定された場合、いずれかのスタッカを空きスタッカにするスタッカとして決定するか、あるいは、予め定められた位置に装着されたスタッカを空きスタッカとすることを決定する。そして、ステップＳ１０５で、そのスタッカに収納されているすべての紙幣を例えば図１５や図１６のような搬送路を通して他のスタッカに移動する。
【００７６】
そして、続くステップＳ１０６で、空いたスタッカを一時保留部４の代わりの搬送先とし、制御を図２のステップＳ１１に渡す。
【符号の説明】
【００７７】
１、１０１  投出部
２、５、１３−１、１３−２、１３−３、１３−４、１５−１、１５−２  （双方向の）繰り出し部
３、１０３  鑑別部
４、１０４  一時保留部
６−１、６−２、１０６−１、１０６−２  リジェクト部
７−１、７−２、１８−１、１８−２  繰り出し部
８  不明券保留部
１１−１、１１−２、１１−３、１１−４、１２−１、１２−２、１１１−１、１１１−２、１１１−３、１１２−１、１１２−２  紙葉類収納庫
１６−１、１６−２  収納庫内リジェクト部
１７−１、１７−２、１７−３、１７−４、１９−１、１９−２  ステージ
２１−１、２１−２、２１−３、２１−４、２２−１、２２−２、２３−１、２３−２、２４−１、２４−２、２５−１、２５−２、２５−３、２５−４、２６、２７−１、２７−２、２８、３１、３２、３３  ゲート
１２１、１２３、１２８−１、１２８−２  下部開口
１２２、１２４、１２５−１、１２５−２、１２５−３、１２７−１、１２７−２  上部開口
４０、４１、４２−１、４２−２、４３−１、４３−２、４４−１、４４−２、４５、４６−１、４６−２、４７、５１、５２、１４０、１４１、１４２、１４３、１４４、１４５、１４６−１、１４６−２  搬送路
【図２】
2010231483.tif 000003
【図３】
2010231483.tif 000004
【図４】
2010231483.tif 000005
【図１７】
2010231483.tif 000006
【図１】
2010231483.tif 000007
【図５】
2010231483.tif 000008
【図６】
2010231483.tif 000009
【図７Ａ】
2010231483.tif 000010
【図７Ｂ】
2010231483.tif 000011
【図８Ａ】
2010231483.tif 000012
【図８Ｂ】
2010231483.tif 000013
【図９】
2010231483.tif 000014
【図１０】
2010231483.tif 000015
【図１１】
2010231483.tif 000016
【図１２】
2010231483.tif 000017
【図１３】
2010231483.tif 000018
【図１４】
2010231483.tif 000019
【図１５】
2010231483.tif 000020
【図１６】
2010231483.tif 000021
【図１８】
2010231483.tif 000022
【図１９】
2010231483.tif 000023
【図２０】
2010231483.tif 000024
【図２１】
2010231483.tif 000025
【図２２】
2010231483.tif 000026
【図２３】
2010231483.tif 000027
【図２４】
2010231483.tif 000028
【図２５】
2010231483.tif 000029
【図２６】
2010231483.tif 000030